(57)【特許請求の範囲】
【請求項１】
記録シートを収容するシート収容部を備えたシート供給装置であって、
前記シート収容部は、
予め定めた所定の第１方向に並設されて前記第１方向の一方側及び／又は他方側に供給される前記記録シートをそれぞれ収容し、かつ、前記第１方向に直交又は略直交する前記記録シートのシート面に沿った第２方向の引出方向及び格納方向に互いに独立して往復移動自在とされた複数のシートトレイと、
単一の把持部と、
前記複数のシートトレイにおいて個々の前記シートトレイに対して前記単一の把持部を選択的に連結する連結機構と
を備えていることを特徴とするシート供給装置。
【請求項２】
請求項１に記載のシート供給装置であって、
前記連結機構への選択操作を前記単一の把持部で行う構成とされていることを特徴とするシート供給装置。
【請求項３】
請求項１又は請求項２に記載のシート供給装置であって、
前記連結機構は、前記複数のシートトレイにそれぞれ対応して設けられた複数の第１係合部材と、前記単一の把持部に接続されて前記複数の第１係合部材に対して選択的に係合する構成とされた第２係合部材とを有し、前記第２係合部材を前記複数の第１係合部材に対して選択的に係合させる構成とされていることを特徴とするシート供給装置。
【請求項４】
請求項３に記載のシート供給装置であって、
前記第２係合部材は、前記複数のシートトレイにおける前記第１係合部材にそれぞれ対応して個別に係合するように前記第１方向に往復移動自在な構成とされていることを特徴とするシート供給装置。
【請求項５】
請求項４に記載のシート供給装置であって、
前記シート収容部は、前記第２係合部材に設けられたガイド部材と、前記複数のシートトレイにそれぞれ対応して設けられて前記ガイド部材に当接する当接部材とをさらに備え、
前記ガイド部材は、前記当接部材に当接して前記第２係合部材が前記複数のシートトレイにおける前記第１係合部材にそれぞれ対応して個別に係合する位置である個別係合位置に移動するように前記第２係合部材を案内することを特徴とするシート供給装置。
【請求項６】
請求項５に記載のシート供給装置であって、
前記当接部材は、前記第１係合部材と兼用することを特徴とするシート供給装置。
【請求項７】
請求項３に記載のシート供給装置であって、
前記第２係合部材は、前記複数のシートトレイにおける前記第１係合部材にそれぞれ対応して個別に係合するように前記第１方向に平行又は略平行な回動軸線回りに回動自在な構成とされていることを特徴とするシート供給装置。
【請求項８】
請求項３から請求項７までの何れか１つに記載のシート供給装置であって、
前記第２係合部材は、さらに、前記複数のシートトレイにおける前記第１係合部材の全てに係合する構成とされていることを特徴とするシート供給装置。
【請求項９】
請求項１から請求項８までの何れか１つに記載のシート供給装置であって、
前記複数のシートトレイのうち何れのシートトレイが前記記録シートの供給対象かを報知するための表示部を備えていることを特徴とするシート供給装置。
【請求項１０】
請求項１から請求項９までの何れか１つに記載のシート供給装置であって、
前記複数のシートトレイのうち前記記録シートの供給対象のシートトレイに前記単一の把持部を連結させないように前記連結機構をロックするロック機構をさらに備えていることを特徴とするシート供給装置。
【請求項１１】
請求項１から請求項１０までの何れか１つに記載のシート供給装置であって、
前記複数のシートトレイのうち前記記録シートの供給対象のシートトレイをロックするロック機構をさらに備えていることを特徴とするシート供給装置。
【請求項１２】
請求項１から請求項１１までの何れか１つに記載のシート供給装置であって、
前記複数のシートトレイは、前記記録シートの載置位置を規定する少なくとも１つの側板を有し、前記側板のうち少なくとも１つは、頂面から底面に向けて窪んだ窪み部を有していることを特徴とするシート供給装置。
【請求項１３】
請求項１から請求項１２までの何れか１つに記載のシート供給装置を備えたことを特徴とする画像形成装置。
【発明の詳細な説明】
【技術分野】
【０００１】
本発明は、記録シートを収容するシート収容部を備えたシート供給装置及びそれを備えた複写機、複合機、プリンタ、ファクシミリ装置等の画像形成装置に関する。
【背景技術】
【０００２】
画像形成装置は、通常、シート供給装置にて記録用紙等の記録シートを画像形成装置本体に供給し、画像形成装置本体に供給された記録シートに画像形成を行い、画像形成が行われた記録シートを画像形成装置本体の外部に排出するようになっている。
【０００３】
シート供給装置は、通常、記録シートを収容するシート収容部を備えている。シート供給装置として、記録シートの供給方向に並設された複数のシートトレイを有するシート収容部を備えたタンデム型のシート供給装置がある。
【０００４】
タンデム型のシート供給装置は、一般的に、記録シートの供給方向に並設された複数のシートトレイが一体となったカセット構造となっている。このようなタンデム型のシート供給装置では、複数のシートトレイが一体となったカセット構造となっているため、何れか１つのシートトレイが記録シート供給動作中の場合に、他のシートトレイに記録シートを補給する際に、画像形成動作を停止させてからでないと、シートトレイに対して引出操作を行うことができない構造となっている。
【０００５】
この点に関し、特許文献１は、記録シート供給動作中（給紙動作中）でも記録シート（記録紙）を随時に補給することができるように、一のシートトレイ（右収容部）及び他のシートトレイ（左収容部）に対して一体的に引出操作を行う一方、他のシートトレイ（左収容部）に対して単独で引出操作を行う構造を備えたシート供給装置（大量給紙装置）を開示している。
【先行技術文献】
【特許文献】
【０００６】
【特許文献１】特開平５−２２１５３６号公報
【発明の概要】
【発明が解決しようとする課題】
【０００７】
しかしながら、特許文献１に記載のシート供給装置（大量給紙装置）では、一のシートトレイ（右収容部）に対して単独で引出操作を行うようにはなっておらず、すなわち、個々のシートトレイに対して単独で引出操作を行うようにはなっていない。
【０００８】
そこで、本発明は、記録シートの供給方向に並設された複数のシートトレイにおいて、個々のシートトレイに対して単独で引出操作を行うことができると共に、何れか１つのシートトレイが記録シート供給動作中でもそれ以外のシートトレイに記録シートを補給することができるシート供給装置及びそれを備えた画像形成装置を提供することを目的とする。
【課題を解決するための手段】
【０００９】
本発明は、前記課題を解決するために、次のシート供給装置及び画像形成装置を提供する。
【００１０】
（１）シート供給装置
本発明に係るシート供給装置は、記録シートを収容するシート収容部を備えたシート供給装置であって、前記シート収容部は、予め定めた所定の第１方向に並設されて前記第１方向の一方側及び／又は他方側に供給される前記記録シートをそれぞれ収容し、かつ、前記第１方向に直交又は略直交する前記記録シートのシート面に沿った第２方向の引出方向及び格納方向に互いに独立して往復移動自在とされた複数のシートトレイと、単一の把持部と、前記複数のシートトレイにおいて個々の前記シートトレイに対して前記単一の把持部を選択的に連結する連結機構とを備えていることを特徴とする。
【００１１】
（２）画像形成装置
本発明に係る画像形成装置は、前記本発明に係るシート供給装置を備えたことを特徴とする。
【００１２】
本発明において、前記連結機構への選択操作を前記単一の把持部で行う構成とされている態様を例示できる。
【００１３】
本発明において、前記連結機構は、前記複数のシートトレイにそれぞれ対応して設けられた複数の第１係合部材と、前記単一の把持部に接続されて前記複数の第１係合部材に対して選択的に係合する構成とされた第２係合部材とを有し、前記第２係合部材を前記複数の第１係合部材に対して選択的に係合させる構成とされている態様を例示できる。
【００１４】
本発明において、前記第２係合部材は、前記複数のシートトレイにおける前記第１係合部材にそれぞれ対応して個別に係合するように前記第１方向に往復移動自在な構成とされている態様を例示できる。
【００１５】
本発明において、前記シート収容部は、前記第２係合部材に設けられたガイド部材と、前記複数のシートトレイにそれぞれ対応して設けられて前記ガイド部材に当接する当接部材とをさらに備え、前記ガイド部材は、前記当接部材に当接して前記第２係合部材が前記複数のシートトレイにおける前記第１係合部材にそれぞれ対応して個別に係合する位置である個別係合位置に移動するように前記第２係合部材を案内する態様を例示できる。
【００１６】
本発明において、前記当接部材は、前記第１係合部材と兼用する態様を例示できる。
【００１７】
本発明において、前記第２係合部材は、前記複数のシートトレイにおける前記第１係合部材にそれぞれ対応して個別に係合するように前記第１方向に平行又は略平行な回動軸線回りに回動自在な構成とされている態様を例示できる。
【００１８】
本発明において、前記第２係合部材は、さらに、前記複数のシートトレイにおける前記第１係合部材の全てに係合する構成とされている態様を例示できる。
【００１９】
本発明において、前記複数のシートトレイのうち何れのシートトレイが前記記録シートの供給対象かを報知するための表示部を備えている態様を例示できる。
【００２０】
本発明において、前記複数のシートトレイのうち前記記録シートの供給対象のシートトレイに前記単一の把持部を連結させないように前記連結機構をロックするロック機構をさらに備えている態様を例示できる。
【００２１】
本発明において、前記複数のシートトレイのうち前記記録シートの供給対象のシートトレイをロックするロック機構をさらに備えている態様を例示できる。
【００２２】
本発明において、前記複数のシートトレイは、前記記録シートの載置位置を規定する少なくとも１つの側板を有し、前記側板のうち少なくとも１つは、頂面から底面に向けて窪んだ窪み部を有している態様を例示できる。
【発明の効果】
【００２３】
本発明によると、記録シートの供給方向に並設された複数のシートトレイにおいて、個々のシートトレイに対して単独で引出操作を行うことができると共に、何れか１つのシートトレイが記録シート供給動作中でもそれ以外のシートトレイに記録シートを補給することが可能となる。
【図面の簡単な説明】
【００２４】
【図１】本発明の実施の形態に係るシート供給装置を備えた画像形成装置の概略構成を示す正面図である。
【図２】第１実施形態に係るシート供給装置の概略構成を示す正面図である。
【図３】図２に示すシート供給装置において、前パネルを取り外した状態を示す正面図である。
【図４】図２に示すシート供給装置の概略構成を示す平面図である。
【図５】図２に示すシート供給装置において、前パネル及び第１のシートトレイを筐体から取り外し、第２のシートトレイを引き出した状態を正面側の右斜め上方から視た分解斜視図である。
【図６】図２に示すシート供給装置から取り外した前パネル及びシートトレイを背面側の左斜め上方から視た斜視図である。
【図７】図２に示すシート供給装置において、第１係合部材と第２係合部材との係合状態を示す図であって、（ａ）は、図６に示すＡ−Ａ線に沿った概略断面図であり、（ｂ）は、図６に示すＢ−Ｂ線に沿った概略断面図である。
【図８】図２に示すシート供給装置において、前パネル、単一の把持部及び連結機構を正面側の右斜め上方から視た分解斜視図である。
【図９】図２に示すシート供給装置において、前パネル及び連結機構を背面側の左斜め上方から視た分解斜視図である。
【図１０】図２に示すシートシート供給装置において、シートトレイが初期位置に位置している状態を模式的に示す平面図である。
【図１１】図２に示すシート供給装置において、シートトレイに対して引出操作を行う際のシートトレイの引出動作の動作過程を模式的に示す平面図であって、（ａ）から（ｃ）は、それぞれ、引出動作の第１過程から第３過程を示す図である。
【図１２】図２に示すシート供給装置において、シートトレイに対して格納操作を行う際のシートトレイの格納動作の動作過程を模式的に示す平面図であって、（ａ）から（ｃ）は、それぞれ、格納動作の第１過程から第３過程を示す図である。
【図１３】第２実施形態に係るシート供給装置の要部の概略構成を正面側の右斜め上方から視た斜視図である。
【図１４】図１３に示すシート供給装置において、連結機構により単一の把持部をシートトレイに連結する状態を示す概略断面図であって、（ａ）は、単一の把持部への把持操作が解除されて第２係合部材が係合解除姿勢をとっている状態を示す図であり、（ｂ）は、単一の把持部への把持操作が行われて第２係合部材が係合姿勢をとっている状態を示す図である。
【図１５】図１３に示すシート供給装置において、前パネル及び単一の把持部部分を上から視た概略断面図である。
【図１６】画像形成装置における制御部の第３実施形態に係るシステムブロック図である。
【図１７】シート供給装置における表示部部分を正面側の右斜め上方から視た斜視図である。
【図１８】画像形成装置における制御部の第４実施形態に係るシステムブロック図である。
【図１９】図２及び図４から図１２に示す連結機構をロックするロック機構が設けられた前パネルを背面側の左斜め上方から視た斜視図である。
【図２０】図１３から図１５に示す連結機構をロックするロック機構が設けられた前パネル及びシートトレイを正面側の右斜め上方から視た斜視図である。
【図２１】シートトレイをロックするロック機構及びシートトレイを正面側の右斜め上方から視た斜視図である。
【発明を実施するための形態】
【００２５】
以下、本発明に係る実施の形態について図面を参照しながら説明する。
【００２６】
図１は、本発明の実施の形態に係るシート供給装置２００を備えた画像形成装置１００の概略構成を示す正面図である。なお、図１及び後述する図２から図１５、図１７及び図１９から図２１において、符号Ｘは、第１方向であり、左右方向を示している。符号Ｙは、第２方向であり、幅方向（奥行き方向）を示している。符号Ｚは、上下方向（具体的には高さ方向）を示している。
【００２７】
図１に示すように、画像形成装置１００は、画像形成装置本体１１０及び画像読取装置１２０を備えており、画像読取装置１２０により読み取った画像データ、又は、外部機器から送られてきた画像データに基づいて画像形成装置本体１１０における画像形成部１１１によりモノクロ画像又はカラー画像を記録用紙等の記録シートＰに画像形成する。
【００２８】
画像読取装置１２０は、原稿搬送部１２１及び原稿読取部１２２を備え、原稿搬送部１２１で搬送される原稿Ｇを原稿読取部１２２で読み取るか、或いは、原稿載置台１２２ａに載置された原稿Ｇを原稿読取部１２２で読み取り、読み取った原稿Ｇの画像を画像データとして出力する。
【００２９】
画像形成装置１００は、電子写真方式の画像形成装置であり、複数の静電潜像担持体（具体的には感光体１１〜１１）を所定方向（この例では第１方向Ｘ）に並設した構成、所謂タンデム式のカラー画像形成装置とされている。この例では、画像形成装置１００は、フルカラー画像を形成できる中間転写方式のカラー複合機とされている。なお、本実施の形態では、画像形成装置１００を、タンデム式のカラー画像形成装置としたが、その他のカラー画像形成装置としてもよい。また、画像形成装置１００を、カラー画像形成装置としたが、モノクロ画像形成装置としてもよい。
【００３０】
画像形成部１１１は、像担持体として作用する感光体１１（具体的には感光体ドラム）、帯電装置として作用する帯電器１２、露光装置１３、現像装置１４、一次転写装置として作用する中間転写ベルト装置１５、ドラムクリーニング装置１６、２次転写装置１７、ベルトクリーニング装置１８、定着装置１９、シート搬送路Ｒ、シート供給装置２００（具体的には給紙装置）及び排出トレイ５０を備えている。
【００３１】
画像形成部１１１では、感光体１１の表面を帯電器１２により帯電し、その帯電域に画像露光して静電潜像を露光装置１３により形成し、この静電潜像を現像装置１４によりトナー画像として可視像化（現像）し、該可視像化されたトナー画像を中間転写ベルト装置１５に静電的に転写し、中間転写ベルト装置１５に転写されたトナー画像を２次転写装置１７により記録シートＰに転写し、さらに、トナー画像を転写した記録シートＰにトナー画像を定着装置１９により定着させる。
【００３２】
カラー画像は、ブラック（Ｋ）、シアン（Ｃ）、マゼンタ（Ｍ）及びイエロー（Ｙ）の各色のトナー画像が重ねられて形成される。このため、感光体１１、帯電器１２、現像装置１４及びドラムクリーニング装置１６は、各色に応じた４種類のトナー画像を形成するようにそれぞれ４つずつ設けられ、それぞれがブラック、シアン、マゼンタ及びイエローに対応付けられて、４つの画像形成ステーションＰａ，Ｐｂ，Ｐｃ，Ｐｄが構成されている。
【００３３】
各画像形成ステーションＰａ，Ｐｂ，Ｐｃ，Ｐｄの何れにおいても、以下に示す同様の動作がなされる。
【００３４】
すなわち、帯電器１２〜１２は、感光体１１〜１１の表面を所定の電位に均一に帯電させる。
【００３５】
露光装置１３は、帯電器１２〜１２にて一様に帯電された感光体１１〜１１の表面を露光して感光体１１〜１１の表面に静電潜像を形成する。
【００３６】
現像装置１４〜１４は、露光装置１３にて形成された感光体１１〜１１の表面の静電潜像を現像して、感光体１１〜１１の表面にトナー画像を形成する。
【００３７】
各画像形成ステーションＰａ，Ｐｂ，Ｐｃ，Ｐｄでは、かかる一連の動作によって、感光体１１〜１１の表面に各色のトナー画像が形成される。
【００３８】
中間転写ベルト装置１５は、１次転写ローラ１５ａ及び中間転写ベルト１５ｂを備えている。１次転写ローラ１５ａは、各色に応じた４種類のトナー画像を形成するようにそれぞれ４つずつ中間転写ベルト１５ｂの内側に設けられている。１次転写ローラ１５ａ〜１５ａは、感光体１１〜１１の表面に形成された各色のトナー画像を所定の周回方向Ｃへ周回移動する中間転写ベルト１５ｂに転写する。
【００３９】
ドラムクリーニング装置１６〜１６は、中間転写ベルト１５ｂに転写されずに残った感光体１１〜１１の表面における残留トナーを除去及び回収する。
【００４０】
２次転写装置１７は、２次転写ローラ１７ａを備えている。２次転写ローラ１７ａは、中間転写ベルト１５ｂとの間にニップ域を形成するように設けられている。２次転写ローラ１７ａは、シート搬送路Ｒを通って搬送されてきた記録シートＰをニップ域に挟み込んで搬送し、ニップ域を通過する際に、中間転写ベルト１５ｂの表面に形成されたトナー画像（例えばカラートナー画像）を記録シートＰ上に転写する。
【００４１】
ベルトクリーニング装置１８は、記録シートＰに転写されずに中間転写ベルト１５ｂの表面に残った残留トナーを除去及び回収する。
【００４２】
定着装置１９は、加熱ローラ１９ａ及び加圧ローラ１９ｂを備え、加熱ローラ１９ａ及び加圧ローラ１９ｂの間にトナー画像が転写された記録シートＰを挟み込んで加熱及び加圧し、トナー画像を記録シートＰに定着させる。
【００４３】
シート供給装置２００は、記録シートＰを収容（具体的には積載）するシート収容部２１０と、シート収容部２１０に収容された記録シートＰを外部（この例では画像形成装置本体１１０）に供給するシート供給部２２０（２２１，２２２）とを備えている。
【００４４】
シート収容部２１０は、シートトレイ２１１，２１２を備えている。シート供給部２２０（２２１，２２２）は、ピックアップローラ２２１ａ，２２２ａ及び分離ローラ対２２１ｂ，２２２ｂを含み、シートトレイ２１１，２１２の記録シートＰの供給側に設けられている。ピックアップローラ２２１ａ，２２２ａ及び分離ローラ対２２１ｂ，２２２ｂは、記録シートＰをシートトレイ２１１，２１２から１枚ずつ引き出して、画像形成装置本体１１０におけるシート搬送路Ｒに搬送する。なお、シート供給装置２００については、後ほど詳しく説明する。
【００４５】
シート搬送路Ｒは、記録シートＰを２次転写装置１７や定着装置１９を経由して排出ローラ４３に搬送する。シート搬送路Ｒの記録シートＰの排出側には、排出ローラ４３が設けられている。排出ローラ４３は、シート搬送路Ｒで搬送されてきた記録シートＰを排出トレイ５０に排出する。シート搬送路Ｒには、レジストローラ４１及び各搬送ローラ４２〜４２が設けられている。レジストローラ４１は、記録シートＰを一端停止させて記録シートＰの先端を揃えた後、中間転写ベルト１５ｂ上のトナー画像とタイミングに合わせて記録シートＰを搬送する。各搬送ローラ４２〜４２は、記録シートＰの搬送を促すローラである。
【００４６】
また、シート搬送路Ｒは、シート反転搬送路Ｒｒを備えている。画像形成部１１１は、記録シートＰの表面だけでなく、裏面に画像形成を行う場合は、記録シートＰを排出ローラ４３からシート反転搬送路Ｒｒへ逆方向に搬送して、記録シートＰの表裏を反転させてレジストローラ４１へ再度導き、記録シートＰの表面と同様にして、記録シートＰの裏面にトナー画像を定着させて排出トレイ５０へ排出する。
【００４７】
［シート供給装置について］
（第１実施形態）
図２は、第１実施形態に係るシート供給装置２００の概略構成を示す正面図である。図３は、図２に示すシート供給装置２００において、前パネル２４０を取り外した状態を示す正面図である。図４は、図２に示すシート供給装置２００の概略構成を示す平面図である。図５は、図２に示すシート供給装置２００において、前パネル２４０及び第１のシートトレイ２１１を筐体２３０から取り外し、第２のシートトレイ２１２を引き出した状態を正面側の右斜め上方から視た分解斜視図である。図６は、図２に示すシート供給装置２００から取り外した前パネル２４０及びシートトレイ２１１，２１２を背面側の左斜め上方から視た斜視図である。
【００４８】
なお、図２から図６は、記録シートＰが収容されていない状態を示している。図５において、シート供給部２２０（２２１，２２２）は図示を省略している。図６において、シートトレイ２１１，２１２に設けられた可動側レール（２３２ａ２，２３２ｂ２），（２３２ａ２，２３２ｂ２）は、図示を省略している。
【００４９】
図７は、図２に示すシート供給装置２００において、第１係合部材２６１，２６２と第２係合部材２６３との係合状態を示す図である。図７（ａ）は、図６に示すＡ−Ａ線に沿った概略断面図であり、図７（ｂ）は、図６に示すＢ−Ｂ線に沿った概略断面図である。図８は、図２に示すシート供給装置２００において、前パネル２４０、単一の把持部２５０及び連結機構２６０を正面側の右斜め上方から視た分解斜視図である。また、図９は、図２に示すシート供給装置２００において、前パネル２４０及び連結機構２６０を背面側の左斜め上方から視た分解斜視図である。
【００５０】
第１実施形態に係るシート供給装置２００は、シート収容部２１０（図２から図６参照）及びシート供給部２２０（２２１，２２２）（図２から図４参照）を収納する筐体２３０と、シート収容部２１０の前側（具体的には筐体２３０の前面）を覆うカバー部材として作用する前パネル２４０（図２及び図４から図９参照）とを備えている。
【００５１】
筐体２３０は、略上面及び略正面が開放された箱型の直方体形状とされている。筐体２３０の正面側には、筐体２３０から独立した前パネル２４０が設けられている。
【００５２】
筐体２３０は、筐体上板２３０ａ（図２から図５参照）、筐体下板２３０ｂ（図２から図５参照）、右筐体側板２３０ｃ（図２から図５参照）、左筐体側板２３０ｄ（図２から図５参照）及び後筐体側板２３０ｅ（図３から図５参照）を有している。なお、筐体２３０の第１方向Ｘにおける一方側（この例では正面から視て右側）には、記録シートＰのシート搬送経路Ｓ（図３参照）を確保する搬送経路部２３０ｆ（図２から図５参照）が設けられている。
【００５３】
シート収容部２１０は、複数（この例では２つ）のシートトレイ２１１，２１２（図２から図７参照）を備えている。
【００５４】
シートトレイ２１１，２１２は、予め定めた所定の第１方向Ｘ（具体的には記録シートＰの供給方向）に並設されている。シートトレイ２１１，２１２は、第１方向Ｘの一方側Ｘ１及び／又は他方側Ｘ２（この例では一方側Ｘ１）に供給される記録シートＰをそれぞれ収容する。
【００５５】
第１のシート供給部２２０（２２１）は、第１のピックアップローラ２２１ａ（図２から図４参照）と、第１の分離ローラ対２２１ｂ（図２から図４参照）とを備えており、第１のシートトレイ２１１の上方における記録シートＰの供給側近傍に位置している。第１のピックアップローラ２２１ａは、第１のシートトレイ２１１に載置された記録シートＰを第１の分離ローラ対２２１ｂに供給する呼び込みローラである。第１の分離ローラ対２２１ｂは、第１のピックアップローラ２２１ａから供給された記録シートＰを２つのローラで挟持することによって、記録シートＰを１枚ずつ分離してシート搬送経路Ｓの第１供給路Ｓ１に搬送する。
【００５６】
第２のシート供給部２２０（２２２）は、第２のピックアップローラ２２２ａ（図２から図４参照）と、第２の分離ローラ対２２２ｂ（図２から図４参照）とを備えており、第２のシートトレイ２１２の上方における記録シートＰの供給側近傍に位置している。第２のピックアップローラ２２２ａは、第２のシートトレイ２１２に載置された記録シートＰを第２の分離ローラ対２２２ｂに供給する呼び込みローラである。第２の分離ローラ対２２２ｂは、第２のピックアップローラ２２２ａから供給された記録シートＰを２つのローラで挟持することによって、記録シートＰを１枚ずつ分離してシート搬送経路Ｓの第２供給路Ｓ２に搬送する。
【００５７】
ここで、第２のシートトレイ２１２は、高さが第１のシートトレイ２１１の高さよりも高くなっている。そして、第２のシート供給部２２０（２２２）にて供給される記録シートの第２供給路Ｓ２は、第１のシートトレイ２１１及び第１のシート供給部２２０の上方を通過した後、搬送経路部２３０ｆで第１のシート供給部２２０（２２１）に供給される記録シートの第１供給路Ｓ１と合流する構成とされている。筐体２３０（具体的には筐体上板２３０ａ）には、開口部Ｑ（図５参照）が形成されている。そして、記録シートＰは、開口部Ｑを通じて、画像形成部１１１におけるシート搬送路Ｒ（図１参照）へ供給される。
【００５８】
なお、図示を省略したが、第１のシート供給部２２０（２２１）における第１のピックアップローラ２２１ａ及び第１の分離ローラ対２２１ｂ並びに第２のシート供給部２２０（２２２）における第２のピックアップローラ２２２ａ及び第２の分離ローラ対２２２ｂは、筐体２３０に適宜軸支された構成とすることができる。また、第１のシート供給部２２０（２２１）及び第２のシート供給部２２０（２２２）は、筐体２３０に代えて第１のシートトレイ２１１及び第２のシートトレイ２１２に軸支された構造としてもよい。
【００５９】
また、この例では、シート供給装置２００は、第１のシートトレイ２１１及び第２のシートトレイ２１２に収容される記録シートＰ，Ｐを第１方向Ｘの一方側Ｘ１に供給するようになっているが、第１のシートトレイ２１１及び第２のシートトレイ２１２に収容される記録シートＰ，Ｐを第１方向Ｘの一方側とは反対側の他方側Ｘ２に供給するようになっていてもよいし、第１のシートトレイ２１１に収容される記録シートＰを第１方向Ｘの一方側Ｘ１に供給し、かつ、第２のシートトレイ２１２に収容される記録シートＰを第１方向Ｘの他方側Ｘ２に供給するようになっていてもよい。
【００６０】
シートトレイ２１１，２１２は、第１方向Ｘに直交又は略直交する記録シートＰのシート面に沿った第２方向Ｙにおいて一方側の方向である引出方向Ｙ１及び他方側の方向である格納方向Ｙ２に互いに独立して往復移動自在（具体的にはスライド自在）とされている。シートトレイ２１１，２１２は、上面が開放された箱型の直方体形状とされている。
【００６１】
第１実施形態に係るシート供給装置２００は、筐体２３０内において第１方向Ｘに隣り合うシートトレイ２１１，２１２の間に設けられた支柱部材２３１（図２から図５参照）と、シートトレイ２１１，２１２を第２方向Ｙに進退させる進退部材（この例ではスライド部材２３２）（図２から図４参照）とをさらに備えている。この例では、スライド部材２３２（具体的にはスライドレール）は、ボールベアリングが内蔵されたスライド部材とされている。
【００６２】
支柱部材２３１は、筐体２３０内において第２方向Ｙにおける両端部に上下方向Ｚに沿って設けられた一対の支柱部材２３１，２３１とされている。一対の支柱部材２３１，２３１は、第１のシートトレイ２１１と第２のシートトレイ２１２との間（この例では右筐体側板２３０ｃと左筐体側板２３０ｄとの中間部）に設けられている。
【００６３】
スライド部材２３２は、この例では、シートトレイ２１１，２１２の第１方向Ｘにおける両側を支持する一対のスライド部材２３２ａ，２３２ｂ（図２から図４参照）とされている。
【００６４】
一対のスライド部材（２３２ａ，２３２ｂ），（２３２ａ，２３２ｂ）のうち、一方のスライド部材２３２ａ，２３２ａは、第１のシートトレイ２１１と右筐体側板２３０ｃとの間及び第２のシートトレイ２１２と左筐体側板２３０ｄとの間に第２方向Ｙに沿って設けられている。
【００６５】
一方のスライド部材２３２ａ，２３２ａは、固定側レール２３２ａ１，２３２ａ１（図２から図５参照）と可動側レール２３２ａ２，２３２ａ２（図２から図５参照）とからなっている。固定側レール２３２ａ１，２３２ａ１は、右筐体側板２３０ｃ及び左筐体側板２３０ｄに第２方向Ｙに沿ってそれぞれ設けられている。可動側レール２３２ａ２，２３２ａ２は、第１のシートトレイ２１１の右側板２１１ａ（図２から図６参照）及び第２のシートトレイ２１２の左側板２１２ｂ（図２から図６参照）にそれぞれ設けられている。
【００６６】
一対のスライド部材（２３２ａ，２３２ｂ），（２３２ａ，２３２ｂ）のうち、他方のスライド部材２３２ｂ，２３２ｂは、第１のシートトレイ２１１と支柱部材２３１との間及び第２のシートトレイ２１２と支柱部材２３１との間に第２方向Ｙに沿って設けられている。
【００６７】
他方のスライド部材２３２ｂ，２３２ｂは、固定側レール２３２ｂ１，２３２ｂ１（図２から図５参照）と可動側レール２３２ｂ２，２３２ｂ２（図２から図５参照）とからなっている。固定側レール２３２ｂ１，２３２ｂ１は、支柱部材２３１，２３１の第１方向Ｘにおける両側に第２方向Ｙに沿ってそれぞれ設けられている。可動側レール２３２ｂ２，２３２ｂ２は、第１のシートトレイ２１１の左側板２１１ｂ（図２から図６参照）及び第２のシートトレイ２１２の右側板２１２ａ（図２から図６参照）にそれぞれ設けられている。
【００６８】
なお、固定側レール（２３２ａ１，２３２ａ１），（２３２ｂ１，２３２ｂ１）及び可動側レール（２３２ａ２，２３２ａ２），（２３２ａ２，２３２ａ２）は、シートトレイ２１１，２１２の引出方向Ｙ１への引き出し過ぎを防止するために、ストッパ２３２ｃ，２３２ｃ（図５参照）が設けられている。これにより、可動側レール（２３２ａ２，２３２ａ２），（２３２ｂ２，２３２ｂ２）は、ストッパ２３２ｃ，２３２ｃにより固定側レール（２３２ａ１，２３２ａ１），（２３２ｂ１，２３２ｂ１）に対する引出方向Ｙ１への移動が規制されるようになっている。
【００６９】
第１実施形態に係るシート供給装置２００は、前パネル２４０を筐体２３０に支持しつつ第２方向Ｙに進退させる進退部材（具体的にはスライド部材２３３）（図２から図５参照）をさらに備えている。この例では、スライド部材２３３（具体的にはスライドレール）は、ボールベアリングが内蔵されたスライド部材とされている。
【００７０】
スライド部材２３３は、この例では、前パネル２４０の第１方向Ｘにおける中央部かつ上下方向Ｚにおける中央部を支持している。
【００７１】
スライド部材２３３は、支柱部材２３１に設けられている。スライド部材２３３は、固定側レール２３３１（図２から図５参照）と可動側レール２３３２（図２から図５参照）とからなっている。固定側レール２３３１は、支柱部材２３１の上下方向Ｚにおける中央部において支柱部材２３１に貫通した状態で第２方向Ｙに沿って設けられている。可動側レール２３３２は、正面側端部（先端部）が前パネル２４０の第２方向Ｙにおける内側の第１側面２４０ａ（図４から図９参照）にビス等の固定部材ＳＣ（図５参照）により固定されている。
【００７２】
なお、固定側レール２３３１及び可動側レール２３３２は、前パネル２４０の引出方向Ｙ１への引き出し過ぎを防止するために、ストッパ２３３ａ（図５参照）が設けられている。ストッパ２３３ａは、この例では、可動側レール２３３２の背面側端部（後端部）に設けられている。これにより、可動側レール２３３２は、ストッパ２３３ａにより固定側レール２３３１に対する引出方向Ｙ１への移動が規制されるようになっている。また、後側の支柱部材２３１には、可動側レール２３３２の背面側（後端側）を挿通する挿通孔２３１ａ（図５参照）が設けられている。
【００７３】
第１実施形態では、シート収容部２１０は、単一の把持部２５０（図２、図４、図５及び図７から図９参照）と、シートトレイ２１１，２１２において個々のシートトレイ２１１，２１２に対して単一の把持部２５０を選択的に連結する連結機構２６０（図２、図４から図９参照）とを備えている。
【００７４】
また、第１実施形態に係るシート供給装置２００は、連結機構２６０への選択操作を単一の把持部２５０で行う構成とされている。
【００７５】
また、第１実施形態では、連結機構２６０は、シートトレイ２１１，２１２にそれぞれ対応して設けられた複数（この例では２つ）の第１係合部材２６１，２６２（図２から図７参照）と、単一の把持部２５０に接続されて第１係合部材２６１，２６２に対して選択的に係合する構成とされた第２係合部材２６３（図２及び図４から図９参照）とを有している。
【００７６】
そして、連結機構２６０は、第２係合部材２６３を第１係合部材２６１，２６２に対して選択的に係合させる構成とされている。
【００７７】
また、第１実施形態では、第２係合部材２６３は、シートトレイ２１１，２１２における第１係合部材２６１，２６２にそれぞれ対応して個別に係合するように第１方向Ｘに往復移動自在な構成とされている。第２係合部材２６３は、第１方向Ｘにおいて、シートトレイ２１１，２１２における第１係合部材２６１，２６２にそれぞれ係合する複数（この例では２つ）の個別係合位置に位置するように往復移動自在な構成とされている。
【００７８】
詳しくは、第２係合部材２６３は、前パネル２４０に第１方向Ｘに往復移動自在に設けられている。第１係合部材２６１，２６２及び第２係合部材２６３は、互いに凹凸係合する構成とされている。この例では、第１係合部材２６１，２６２は、凸部を有し、第２係合部材２６３は、第１係合部材２６１，２６２における凸部と係合する凹部を有している。第２係合部材２６３は、第１方向Ｘの一方側Ｘ１又は他方側Ｘ２への移動により第１係合部材２６１，２６２が第１方向Ｘの一方側Ｘ１又は他方側Ｘ２から挿入されて第１係合部材２６１，２６２と係合されるようになっている。
【００７９】
なお、第１係合部材２６１，２６２は、凹部を有し、第２係合部材２６３は、第１係合部材２６１，２６２における凹部と係合する凸部を有し、第２係合部材２６３は、第１方向Ｘの一方側Ｘ１又は他方側Ｘ２への移動により第１係合部材２６１，２６２に第１方向Ｘの一方側Ｘ１又は他方側Ｘ２から挿入されて第１係合部材２６１，２６２と係合されるようになっていてもよい。
【００８０】
第２係合部材２６３は、第１のシートトレイ２１１における第１係合部材２６１のみと係合する第１係合位置（適正な個別係合位置）と、第２のシートトレイ２１２における第１係合部材２６２のみと係合する第２係合位置（適正な個別係合位置）との間で第１方向Ｘに往復移動する構成とされている。
【００８１】
前パネル２４０には、単一の把持部２５０が貫通する貫通孔２４１（図２、図４、図５、図８及び図９参照）が設けられている。
【００８２】
単一の把持部２５０は、前パネル２４０における貫通孔２４１を貫通して第２係合部材２６３のシートトレイ２１１，２１２に対向する面とは反対側の面に設けられている。貫通孔２４１の第１方向Ｘにおけるサイズは、第２係合部材２６３を第１係合位置と第２係合位置との間で往復移動させることができる程度のサイズ或いは該サイズよりも若干（所定量だけ）大きいサイズとされている。貫通孔２４１の幅（上下方向Ｚ）におけるサイズは、単一の把持部２５０の挿通部分の幅（上下方向Ｚ）におけるサイズよりも貫通孔２４１を円滑に移動できる程度に若干（所定量だけ）大きいサイズとされている。
【００８３】
具体的には、単一の把持部２５０は、平面視でＵ字形状又は略Ｕ字形状とされている。貫通孔２４１は、この例では、第１方向Ｘに並設された一対の貫通孔２４１ａ，２４１ｂとされている。単一の把持部２５０は、先端部が一対の貫通孔２４１ａ，２４１ｂに挿通された状態でビス等の固定部材ＳＣ（図８及び図９参照）により第２係合部材２６３の前パネル２４０に対向する第１側板２６３ａ（図４、図７及び図８参照）に固定されている。
【００８４】
第１係合部材２６１，２６２は、シートトレイ２１１，２１２の第２方向Ｙにおける引出方向Ｙ１側の前側板２１１ｃ，２１２ｃ（図２から図７参照）の外面から引出方向Ｙ１に延設する延設部２６１ａ，２６２ａ（図５から図７参照）と、延設部２６１ａ，２６２ａの先端から上方へ屈曲した係合部２６１ｂ，２６２ｂ（図５から図７参照）とを有している。係合部２６１ｂ，２６２ｂは、シートトレイ２１１，２１２側に第１方向Ｘ及び上下方向Ｚの双方に沿った係合平面２６１ｂ１，２６２ｂ１（図６及び図７参照）を有している。
【００８５】
第２係合部材２６３は、底面側（下側）が開放された箱型の直方体形状とされている。前パネル２４０の内側の第１側面２４０ａには、第２係合部材２６３を第１方向Ｘに移動自在に摺動する摺動部材２４２（図４及び図６参照）が設けられている。
【００８６】
摺動部材２４２は、第２係合部材２６３の上面を移動自在に支持する上側摺動部２４２ａ（図４、図６及び図７参照）と、第２係合部材２６３の下面を移動自在に支持する下側摺動部２４２ｂ（図６及び図７参照）と、前パネル２４０の内側の第１側面２４０ａとの間で第２係合部材２６３のシートトレイ２１１，２１２に対向する第２側板２６３ｂ（図４、図６及び図９参照）を移動自在に支持する側面側摺動部２４２ｃ（図４及び図６参照）とを有している。摺動部材２４２は、第２係合部材２６３の第１方向Ｘにおける一方側及び他方側に設けられている。側面側摺動部２４２ｃは、上側摺動部２４２ａと一体的に形成されている。上側摺動部２４２ａ及び下側摺動部２４２ｂは、前パネル２４０と一体的に形成されている。
【００８７】
第２係合部材２６３の第２側板２６３ｂには、第１係合部材２６１，２６２における係合部２６１ｂ，２６２ｂを第２係合部材２６３内に挿通する開口２６３１，２６３２（図６及び図９参照）が設けられている。この例では、開口２６３１，２６３２は、四角形状とされている。そして、第２係合部材２６３の第２側板２６３ｂにおける開口２６３１，２６３２の第１方向Ｘに隣接する内面２６３１ａ，２６３２ａ（図７参照）が第１係合部材２６１，２６２の係合部２６１ｂ，２６２ｂにおける係合平面２６１ｂ１，２６２ｂ１を係止する係止平面とされる。
【００８８】
また、第１実施形態では、連結機構２６０は、第１方向Ｘにおいて予め定めた初期位置（この例では第１係合位置と第２係合位置との間の中間位置）に維持するように第２係合部材２６３を付勢する付勢部材２６４（図４、図６、図８及び図９参照）をさらに有している。
【００８９】
詳しくは、付勢部材２６４は、第２係合部材２６３が外力（具体的には操作者の把持部２５０への操作）により第１方向Ｘの一方側Ｘ１の位置（この例では第１係合位置）又は他方側Ｘ２の位置（この例では第２係合位置）に位置しているときに外力が開放されると（具体的には操作者が把持部２５０から手を離すと）、初期位置に戻る構成とされている。
【００９０】
具体的には、前パネル２４０は、第１方向Ｘ及び上下方向Ｚの双方に沿った四角形状のパネル板２４３（図４から図７参照）と、パネル板２４３の第１方向Ｘにおける両端部から第２方向Ｙの格納方向Ｙ２に立設された第１側面板２４４（図４から図６参照）及び第２側面板２４５（図４から図６参照）とを有している。
【００９１】
付勢部材２６４は、第２係合部材２６３の第１方向Ｘにおける両端面である第１端面２６３ｃ（図４、図５及び図８参照）及び第２端面２６３ｄ（図４、図６及び図９参照）と、前パネル２４０の第１方向Ｘにおける内側面（第１側面板２４４及び第２側面板２４５の内側面）である第２側面２４０ｂ（図４、図６及び図９参照）及び第３側面２４０ｃ（図４、図５及び図８参照）との間に設けられた一対の付勢部材２６４ａ，２６４ｂ（この例では直巻スプリング）とされている。
【００９２】
一対の付勢部材２６４ａ，２６４ｂのうち、一方の付勢部材２６４ａは、一端部が前パネル２４０の第２側面２４０ｂに設けられた保持部２４０ｂ１（凹部）（図９参照）に保持され、かつ、他端部が第２係合部材２６３の第１端面２６３ｃに設けられた保持部２６３ｃ１（凹部）（図８参照）に保持されている。
【００９３】
一対の付勢部材２６４ａ，２６４ｂのうち、他方の付勢部材２６４ｂは、一端部が前パネル２４０の第３側面２４０ｃに設けられた保持部２４０ｃ１（凹部）（図９参照）に保持され、かつ、他端部が第２係合部材２６３の第２端面２６３ｄに設けられた保持部２６３ｄ１（凹部）（図９参照）に保持されている。
【００９４】
また、第１実施形態では、シート収容部２１０は、第２係合部材２６３に設けられたガイド部材２６５（図４、図７及び図９参照）と、シートトレイ２１１，２１２にそれぞれ対応して設けられてガイド部材２６５に当接する当接部材とをさらに備えている。この例では、当接部材は、第１係合部材２６１，２６２と兼用している。なお、当接部材は、第１係合部材２６１，２６２とは別にシートトレイ２１１，２１２に設けられた部材であってもよい。
【００９５】
そして、ガイド部材２６５は、当接部材（この例では第１係合部材２６１，２６２）に当接して第２係合部材２６３がシートトレイ２１１，２１２における第１係合部材２６１，２６２にそれぞれ対応して個別に係合する位置である適正な個別係合位置（この例では第１係合位置又は第２係合位置）に移動するように第２係合部材２６３を案内する構成とされている。
【００９６】
詳しくは、ガイド部材２６５は、第２係合部材２６３への選択操作により第２係合部材２６３と係合した第１係合部材（２６１又は２６２）に対応するシートトレイ（２１１又は２１２）に対して、格納方向Ｙ２への格納操作が行われたときに、当接部材（この例では第１係合部材２６１，２６２）に当接して第２係合部材２６３が適正な個別係合位置（この例では第１係合位置又は第２係合位置）に移動するように第２係合部材２６３を案内する。当接部材（この例では第１係合部材２６１，２６２）は、第１係合部材２６１，２６２のうち、第２係合部材２６３と係合した第１係合部材（例えば２６１）に対応するシートトレイ（例えば２１１）が格納されたときに、第２係合部材２６３と係合した第１係合部材（例えば２６１）以外の第１係合部材（例えば２６２）と当接することにより第２係合部材を案内する。また、当接部材（この例では第１係合部材２６１，２６２）は、第１係合部材２６１，２６２が何れも第２係合部材２６３と係合していない場合には、前パネル２４０が格納方向Ｙ２に移動したときに、第１係合部材２６１，２６２の全てと当接することにより第２係合部材２６３を適正な個別係合位置（この例では第１係合位置及び第２係合位置）に案内する。
【００９７】
ガイド部材２６５は、当接部材（この例では第１係合部材２６１，２６２）に当接する一対のガイド部材２６５ａ，２６５ｂとされている。ガイド部材２６５（２６５ａ），２６５（２６５ｂ）は、当接部材（この例では第１係合部材２６１，２６２）に当接することにより当接部材（この例では第１係合部材２６１，２６２）に摺接しつつ第２係合部材２６３を適正な個別係合位置（この例では第２係合位置又は第１係合位置）に案内する傾斜面２６５１，２６５２（図４及び図９参照）を有している。一方の傾斜面２６５１は、第２側板２６３ｂに対して第１方向Ｘの一方側Ｘ１が低くかつ他方側Ｘ２が高くなるように予め定めた所定の角度で傾斜している。他方の傾斜面２６５２は、第２側板２６３ｂに対して第１方向Ｘの一方側Ｘ１が高くかつ他方側Ｘ２に低くように予め定めた所定の角度で傾斜している。
【００９８】
具体的には、ガイド部材２６５（２６５ａ），２６５（２６５ｂ）は、平面から視て第２係合部材２６３側を底辺とする二等辺三角形又は略二等辺三角形とされている。ガイド部材２６５（２６５ａ），２６５（２６５ｂ）は、第２係合部材２６３と一体的に形成されている。
【００９９】
第１係合部材２６１，２６２における係合部２６１ｂ，２６２ｂは、第２係合部材２６３側に第１方向Ｘに湾曲した湾曲面２６１ｂ２，２６２ｂ２（図４及び図５参照）を有している。
【０１００】
傾斜面２６５１，２６５２及び湾曲面２６１ｂ２，２６２ｂ２は、第２係合部材２６３が初期位置に位置している状態で、平面視で傾斜面２６５１，２６５２の交点が湾曲面２６１ｂ２，２６２ｂ２の頂点と一致又は略一致するように構成されている。従って、第２係合部材２６３は、初期位置から第１方向Ｘの他方側Ｘ２又は一方側Ｘ１へ少しでもずらされることで、傾斜面２６５１，２６５２及び湾曲面２６１ｂ２，２６２ｂ２により、第２係合部材２６３を第２係合位置又は第１係合位置に案内することができる。
【０１０１】
なお、当接部材が第１係合部材２６１，２６２とは別に設けられる場合、ガイド部材２６５（２６５ａ），２６５（２６５ｂ）は第１係合部材２６１，２６２とは別に設けられた当接部材に対応して設けることができる。
【０１０２】
また、第１実施形態では、第２係合部材２６３は、さらに、シートトレイ２１１，２１２における第１係合部材２６１，２６２の全てに係合する構成とされている。第２係合部材２６３は、第１方向Ｘにおいて、複数の個別係合位置に加えて、シートトレイ２１１，２１２における第１係合部材２６１，２６２の全てに係合する全係合位置（この例では初期位置）に位置するように往復移動自在な構成とされている。
【０１０３】
詳しくは、第２係合部材２６３は、初期位置に位置しているときに、第１のシートトレイ２１１における第１係合部材２６１及び第２のシートトレイ２１２における第１係合部材２６２の双方に係合する構成とされている。
【０１０４】
具体的には、第２係合部材２６３は、初期位置に位置しているときに、第２側板２６３ｂにおける内面２６３１ａ，２６３２ａの平面視で傾斜面２６５１，２６５２の交点が湾曲面２６１ｂ２，２６２ｂ２の頂点に対応する位置で第１係合部材２６１，２６２の係合部２６１ｂ，２６２ｂにおける係合平面２６１ｂ１，２６２ｂ１を係止する構成とされる。
【０１０５】
なお、図示を省略したが、前パネル２４０の前面の単一の把持部２５０に対応する位置には、第１実施形態に係るメッセージ等の指標が付されている。すなわち、第１実施形態に係る指標は、単一の把持部２５０を第１方向Ｘの一方側Ｘ１（正面視で右側）に移動させるときには第１のシートトレイ２１１のみを引き出すことができ、単一の把持部２５０を第１方向Ｘの他方側Ｘ２（左側）に移動させるときには第２のシートトレイ２１２のみを引き出すことができ、また、単一の把持部２５０が初期位置に位置しているときには、第１のシートトレイ２１１及び第２のシートトレイ２１２の双方を引き出すことができる旨を操作者に知らせる指標である。
【０１０６】
また、第１実施形態では、シートトレイ２１１，２１２は、記録シートＰの載置位置を規定する少なくとも１つの側板（この例では右側板２１１ａ，２１２ａ、左側板２１１ｂ，２１２ｂ、前側板２１１ｃ，２１２ｃ及び後側板２１１ｄ，２１２ｄ）を有している。側板のうち少なくとも１つ（この例では右側板２１１ａ，２１２ａ、左側板２１１ｂ，２１２ｂ、前側板２１１ｃ，２１２ｃ）は、頂面から底面に向けて窪んだ窪み部Ｈａ（図５及び図６参照）を有している。
【０１０７】
詳しくは、シートトレイ２１１，２１２における右側板２１１ａ，２１２ａ及び左側板２１１ｂ，２１２ｂは、第１方向Ｘの位置を規定している。シートトレイ２１１，２１２における前側板２１１ｃ，２１２ｃ及び第２方向Ｙにおける格納方向Ｙ２側の後側板２１１ｄ，２１２ｄ（図４から図６参照）は、第２方向Ｙの位置を規定している。
【０１０８】
具体的には、右側板２１１ａ，２１２ａ、左側板２１１ｂ，２１２ｂ、前側板２１１ｃ，２１２ｃ及び後側板２１１ｄ，２１２ｄの少なくとも１つ（この例では右側板２１１ａ，２１２ａ、左側板２１１ｂ，２１２ｂ及び前側板２１１ｃ，２１２ｃ）には、頂面が開放し、かつ、厚み方向に貫通するように窪んだ窪み部Ｈａが設けられている。
【０１０９】
（第１実施形態に係るシートトレイの引出動作及び格納動作について）
次に、第１実施形態に係るシート供給装置２００において、ユーザー等の操作者によるシートトレイ２１１，２１２の引出動作及び格納動作について図１０から図１２を参照しながら以下に説明する。
【０１１０】
図１０は、図２に示すシート供給装置２００において、シートトレイ２１１，２１２が初期位置に位置している状態を模式的に示す平面図である。図１１は、図２に示すシート供給装置２００において、シートトレイ２１１，２１２に対して引出操作を行う際のシートトレイ２１１，２１２の引出動作の動作過程を模式的に示す平面図である。図１１（ａ）から図１１（ｃ）は、それぞれ、引出動作の第１過程から第３過程を示している。また、図１２は、図２に示すシート供給装置２００において、シートトレイ２１１，２１２に対して格納操作を行う際のシートトレイ２１１，２１２の格納動作の動作過程を模式的に示す平面図である。図１２（ａ）から図１２（ｃ）は、それぞれ、格納動作の第１過程から第３過程を示している。
【０１１１】
第１実施形態に係るシート供給装置２００では、図１０に示すように、単一の把持部２５０に接続された第２係合部材２６３は、初期位置では、シートトレイ２１１，２１２にそれぞれ対応して設けられた第１係合部材２６１，２６２の双方に対して係合している。
【０１１２】
＜引出操作＞
引出操作の第１過程では、図１１（ａ）に示すように、操作者が第１のシートトレイ２１１に対して引出方向Ｙ１への引出操作を行うにあたり、先ず、単一の把持部２５０が操作者により把持され、操作者の選択操作により単一の把持部２５０が第１方向Ｘの一方側Ｘ１に移動させられて第１係合位置に位置し、それに伴い、第２係合部材２６３が第１のシートトレイ２１１に対応して設けられた第１係合部材２６１に対してのみ係合される。
【０１１３】
次に、引出操作の第２過程では、図１１（ｂ）に示すように、単一の把持部２５０が第１係合部に位置している状態で（すなわち、第２係合部材２６３が付勢部材２６４（２６４ａ），２６４（２６４ｂ）により初期位置に向かうように付勢されている状態で）、操作者の引出操作により単一の把持部２５０が第２方向Ｙの引出方向Ｙ１に引かれ、それに伴い、第１のシートトレイ２１１が引き出される。
【０１１４】
そして、引出操作の第３過程では、図１１（ｃ）に示すように、操作者の単一の把持部２５０の把持操作が解除されることで、第２係合部材２６３が付勢部材２６４（２６４ａ），２６４（２６４ｂ）により初期位置に移動する。
【０１１５】
＜格納操作＞
次に、格納操作の第１過程では、図１２（ａ）に示すように、操作者が第１のシートトレイ２１１に対して格納方向Ｙ２への格納操作を行うにあたり、先ず、単一の把持部２５０が操作者により把持され、操作者の移動操作により単一の把持部２５０が第１方向Ｘの一方側Ｘ１に少なくとも少しだけ移動させられ、単一の把持部２５０が一方側Ｘ１に少なくとも少しだけ移動させられた状態で、操作者の格納操作により単一の把持部２５０が第２方向Ｙの格納方向Ｙ２に押される。
【０１１６】
次に、格納操作の第２過程では、図１２（ｂ）に示すように、ガイド部材２６５（２６５ａ），２６５（２６５ｂ）は、第２係合部材２６３と係合していない第１係合部材２６２に当接して第２係合部材２６３を適正な個別係合位置（具体的には第１係合位置）に移動させる。
【０１１７】
そして、格納操作の第３過程では、図１２（ｃ）に示すように、第１のシートトレイ２１１が格納される。このとき、第２係合部材２６３は、付勢部材２６４（２６４ａ），２６４（２６４ｂ）により初期位置に向かうように付勢されており、操作者の単一の把持部２５０の把持操作が解除されることで、図１０に示すように、第２係合部材２６３が付勢部材２６４（２６４ａ），２６４（２６４ｂ）により初期位置に移動する。
【０１１８】
なお、第２のシートトレイ２１２に対する引出操作及び格納操作についても、単一の把持部２５０の第１方向Ｘの他方側Ｘ２への移動により第１のシートトレイ２１１に対する引出操作及び格納操作と同様に行うことができる。すなわち、第２のシートトレイ２１２に対する引出操作及び格納操作は、第１のシートトレイ２１１に対する引出操作及び格納操作と実質的に同様の引出操作及び格納操作であることから、第２のシートトレイ２１２に対する引出操作及び格納操作については、ここでは説明を省略する。
【０１１９】
また、第１のシートトレイ２１１及び第２のシートトレイ２１２の双方に対する引出操作及び格納操作については、第２係合部材２６３が初期位置に位置している状態で（すなわち操作者の単一の把持部２５０の把持操作が解除されている状態で）、単一の把持部２５０が引出方向Ｙ１に引かれることで第１のシートトレイ２１１及び第２のシートトレイ２１２の双方の引出操作を行うことができる一方、単一の把持部２５０が格納方向Ｙ２に押されることで第１のシートトレイ２１１及び第２のシートトレイ２１２の双方の格納操作を行うことができる。
【０１２０】
（第２実施形態）
図１３は、第２実施形態に係るシート供給装置２００の要部の概略構成を正面側の右斜め上方から視た斜視図である。図１４は、図１３に示すシート供給装置２００において、連結機構２８０により単一の把持部２７０をシートトレイ２１１，２１２に連結する状態を示す概略断面図である。図１４（ａ）は、単一の把持部２７０への把持操作が解除されて第２係合部材２８３１，２８３２が係合解除姿勢をとっている状態を示しており、図１４（ｂ）は、単一の把持部２７０への把持操作が行われて第２係合部材２８３１，２８３２が係合姿勢をとっている状態を示している。また、図１５は、図１３に示すシート供給装置２００において、前パネル２４０及び単一の把持部２７０部分を上から視た概略断面図である。
【０１２１】
なお、図１３において、筐体２３０等は図示を省略している。また、連結機構２８０により単一の把持部２７０を各シートトレイ２１１，２１２に連結させる連結動作は何れも同じであることから、図１４では、かかる連結動作を１つの図で示している。
【０１２２】
第２実施形態において、第１実施形態と実質的に同様の構成要素には同一符号を付し、その説明を省略する。
【０１２３】
第２実施形態に係るシート供給装置２００は、単一の把持部２７０と、シートトレイ２１１，２１２（図１３及び図１４参照）において個々のシートトレイに対して単一の把持部２７０を選択的に連結する連結機構２８０（図１３及び図１４参照）とを備えている。
【０１２４】
また、第２実施形態に係るシート供給装置２００は、連結機構２８０への選択操作を単一の把持部２７０で行う構成とされている。
【０１２５】
また、第２実施形態では、連結機構２８０は、シートトレイ２１１，２１２にそれぞれ対応して設けられた第１係合部材２６１，２６２（図１３及び図１４参照）と、単一の把持部２７０に接続されて第１係合部材２６１，２６２に対して選択的に係合する構成とされた第２係合部材、具体的には複数（この例では２つ）の第２係合部材２８３１，２８３２（図１３及び図１４参照）とを有している。
【０１２６】
そして、連結機構２８０は、第２係合部材２８３１，２８３２を第１係合部材２６１，２６２に対して選択的に係合させる構成とされている。
【０１２７】
また、第２実施形態では、第２係合部材２８３１，２８３２は、シートトレイ２１１，２１２における第１係合部材２６１，２６２にそれぞれ対応して個別に係合するように第１方向Ｘに平行又は略平行な回動軸線回りに回動自在な構成とされている。
【０１２８】
また、第２実施形態では、第２係合部材２８３１，２８３２は、さらに、シートトレイ２１１，２１２における第１係合部材２６１，２６２の全てに係合する構成とされている。
【０１２９】
第２係合部材２８３１，２８３２は、第１係合部材２６１，２６２との係合を解除する係合解除姿勢（図１４（ａ）参照）と、第１係合部材２６１，２６２と係合する係合姿勢（図１４（ｂ）参照）との間で第１方向Ｘに平行又は略平行な回動軸線回りに回動する構成とされている。
【０１３０】
詳しくは、連結機構２８０は、第２係合部材２８３１，２８３２を係合解除姿勢に向けて付勢する付勢部材２８４１，２８４２（図１３及び図１４参照）と、第２係合部材２８３１，２８３２の係合解除姿勢よりもシートトレイ２１１，２１２側への回動を規制する規制部材２８５１，２８５２（図１３及び図１４参照）とをさらに有している。
【０１３１】
第２係合部材２８３１，２８３２は、第１係合部材２６１，２６２とそれぞれ係合する係合レバーとされている。
【０１３２】
付勢部材２８４１，２８４２（この例では直巻スプリング）は、第２係合部材２８３１，２８３２をシートトレイ２１１，２１２側へそれぞれ付勢するようになっている。
【０１３３】
規制部材２８５１，２８５２は、第２係合部材２８３１，２８３２のシートトレイ２１１，２１２側への回動をそれぞれ規制するようになっている。
【０１３４】
具体的には、第２係合部材２８３１，２８３２は、第１方向Ｘに平行又は略平行な回動軸２８３１ａ，２８３２ａ（図１３及び図１４参照）と、回動軸２８３１ａ，２８３２ａに設けられたレバー揺動部２８３１ｂ，２８３２ｂ（図１３及び図１４参照）と、レバー揺動部２８３１ｂ，２８３２ｂに設けられた係合部２８３１ｃ，２８３２ｃ（図１３及び図１４参照）とを備えている。
【０１３５】
回動軸２８３１ａ，２８３２ａは、互いに同軸上に位置している。回動軸２８３１ａ，２８３２ａは、軸線回りに回動自在に前パネル２４０に支持されている。すなわち、前パネル２４０の第２方向Ｙにおける内側の第１側面２４０ａには、回動軸２８３１ａ，２８３２ａを軸線回りに回動自在に支持する支持部２６６１，２６６２（図１３参照）が設けられている。この例では、支持部２６６１，２６６２は、回動軸２８３１ａ，２８３２ａの両端部をそれぞれ支持する一対の支持部とされている。支持部２６６１，２６６２は、前パネル２４０と一体的に形成されている。
【０１３６】
レバー揺動部２８３１ｂ，２８３２ｂは、第２係合部材２８３１，２８３２が係合解除姿勢の状態（初期状態）において、上下方向Ｚの下方に延びている。係合部２８３１ｃ，２８３２ｃは、レバー揺動部２８３１ｂ，３８３２ｂの下端部からシートトレイ２１１，２１２側に延び、かつ、シートトレイ２１１，２１２側端部から上下方向Ｚの下方に延びている。係合部２８３１ｃ，２８３２ｃは、レバー揺動部２８３１ｂ，２８３２ｂと一体的に形成されている。
【０１３７】
単一の把持部２７０は、第２係合部材２８３１，２８３２における回動軸２８３１ａ，２８３２ａにそれぞれ接続される複数（この例では２つ）の把手部材２７１，２７２を有している。
【０１３８】
把手部材２７１，２７２は、回動軸２８３１ａ，２８３２ａから前パネル２４０側に延びた把手揺動部２７１ａ，２７２ａ（図１３及び図１４参照）と、把手揺動部２７１ａ，２７２ａの前パネル２４０側端部から上下方向Ｚの下方に延びた把手部２７１ｂ，２７２ｂとを有している。把手部２７１ｂ，２７２ｂは、把手揺動部２７１ａ，２７２ａと一体的に形成されている。
【０１３９】
把手部２７１ｂ，２７２ｂは、第１方向Ｘにおいて互いに近接した状態で、前パネル２４０の第１方向Ｘにおける中央部に対応する位置に、かつ、上下方向Ｚにおける中央部よりも予め定めた所定距離だけ上方に対応する位置に設けられている。前パネル２４０の把手部２７１ｂ，２７２ｂに対応する位置の下方又は下方近傍には、前パネル２４０の外側から把手部材２７１，２７２を把持操作するための（具体的には操作者の手を入れるための）開口２４０ｄが設けられている。
【０１４０】
把手部２７１ｂ，２７２ｂのうち、第１の把手部２７１ｂには、第１の把手部２７１ｂの把持部分α（図１５参照）をガイドする一対の突出部２７１ｂ１，２７１ｂ２（図１５参照）が設けられており、第２の把手部２７２ｂには、第２の把手部２７２ｂの把持部分β（図１５参照）をガイドする一対の突出部２７２ｂ１，２７２ｂ２（図１５参照）が設けられている。具体的には、第１の把手部２７１ｂにおいて、一方の突出部２７１ｂ１は、第２の把手部２７２ｂとは反対側の端部に設けられ、かつ、他方の突出部２７１ｂ２は、第２の把手部２７２ｂ側の端部から第１の把手部２７１ｂの第１方向Ｘにおけるサイズの３分の１又は略３分の１の位置に設けられている。第２の把手部２７２ｂにおいて、一方の突出部２７２ｂ１は、第１の把手部２７１ｂとは反対側の端部に設けられ、かつ、他方の突出部２７２ｂ２は、第１の把手部２７１ｂ側の端部から第２の把手部２７２ｂの第１方向Ｘにおけるサイズの３分の１又は略３分の１の位置に設けられている。
【０１４１】
第１の把手部２７１ｂにおける突出部２７１ｂ１，２７１ｂ２と第２の把手部２７２ｂにおける突出部２７２ｂ１，２７２ｂ２とのうち内側にある突出部２７１ｂ２，２７２ｂ２は、第１の把手部２７１ｂ及び第２の把手部２７２ｂの双方の把持部分αβ（図１５参照）をガイドする突出部を兼ねている。
【０１４２】
なお、図示を省略したが、前パネル２４０の前面の単一の把持部２５０に対応する位置には、第２実施形態に係るメッセージ等の指標が付されている。すなわち、第２実施形態に係る指標は、単一の把持部２５０を第１方向Ｘの一方側Ｘ１（正面視で右側）で把持するときには第１のシートトレイ２１１のみを引き出すことができ、単一の把持部２５０を第１方向Ｘの他方側Ｘ２（左側）で把持するときには第２のシートトレイ２１２のみを引き出すことができ、また、単一の把持部２５０を中央部で把持するときには、第１のシートトレイ２１１及び第２のシートトレイ２１２の双方を引き出すことができる旨を操作者に知らせる指標である。
【０１４３】
付勢部材２８４１，２８４２は、一端部が前パネル２４０の第１側面２４０ａに設けられた保持部２４０ａ１，２４０ａ１（具体的には凹部）（図１４参照）に保持され、かつ、他端部がレバー揺動部２８３１ｂ，２８３２ｂの前パネル２４０に対向する面に設けられた保持部２８３ａ，２８３ａ（具体的には凹部）（図１４参照）に保持されている。
【０１４４】
規制部材２８５１，２８５２は、前パネル２４０の第１側面２４０ａからシートトレイ２１１，２１２側に延び、かつ、第１方向Ｘにおいてレバー揺動部２８３１ｂ，２８３２ｂの裏側（シートトレイ２１１，２１２側）に延びている。規制部材２８５１，２８５２は、前パネル２４０と一体的に形成されている。
【０１４５】
（第２実施形態に係るシートトレイの引出動作及び格納動作について）
以上説明した第２実施形態に係るシート供給装置２００では、操作者が第１のシートトレイ２１１又は第２のシートトレイ２１２に対して引出操作を行う場合には、第２係合部材２８３１又は第２係合部材２８３２が係合解除姿勢をとっている状態（初期状態）において、単一の把持部２５０における第１の把手部２７１ｂの把持部分α又は第２の把手部２７２ｂの把持部分βが操作者により把持される。そうすると、第１の把手部材２７１又は第２の把手部材２７２が図１４に示す時計方向に回動し、それに伴って、第２係合部材２８３１又は第２係合部材２８３２が図１４に示す時計方向に回動して係合姿勢をとる。これにより、第２係合部材２８３１における係合部２８３１ｃが第１のシートトレイ２１１に対応して設けられた第１係合部材２６１における係合部２６１ｂに係合されるか（図１４（ｂ）参照）、又は、第２係合部材２８３２における係合部２８３２ｃが第２のシートトレイ２１２に対応して設けられた第１係合部材２６２における係合部２６２ｂに係合される（図１４（ｂ）参照）。このとき、操作者の引出操作により単一の把持部２５０が引出方向Ｙ１に引かれると、第１のシートトレイ２１１又は第２のシートトレイ２１２が引き出される。また、操作者の格納操作により単一の把持部２５０が格納方向Ｙ２に押されると、第１のシートトレイ２１１又は第２のシートトレイ２１２が格納される。
【０１４６】
一方、操作者がシートトレイ２１１，２１２の双方に対して引出操作を行う場合には、双方の第２係合部材２８３１，２８３２が係合解除姿勢をとっている状態（初期状態）において、単一の把持部２５０における把手部２７１ｂ，２７２ｂの双方の把持部分αβが操作者により把持される。そうすると、把手部材２７１，２７２の双方が図１４に示す時計方向に回動し、それに伴って、第２係合部材２８３１及び第２係合部材２８３２の双方が図１４に示す時計方向に回動して第２係合部材２８３１，２８３２の双方が係合姿勢をとる。これにより、第２係合部材２８３１，２８３２の双方における係合部２８３１ｃ，２８３２ｃがシートトレイ２１１，２１２に対応して設けられた第１係合部材２６１，２６２における係合部２６１ｂ，２６２ｂに係合される（図１４（ｂ）参照）。このとき、操作者の引出操作により単一の把持部２５０が引出方向Ｙ１に引かれると、シートトレイ２１１，２１２の双方が引き出される。また、操作者の格納操作により単一の把持部２５０が格納方向Ｙ２に押されると、シートトレイ２１１，２１２の双方が格納される。
【０１４７】
（第３実施形態）
第３実施形態において、第１実施形態及び第２実施形態と実質的に同様の構成要素には同一符号を付し、その説明を省略する。
【０１４８】
図１６は、画像形成装置１００における制御部１３０の第３実施形態に係るシステムブロック図である。図１７は、シート供給装置２００における表示部２０１，２０２部分を正面側の右斜め上方から視た斜視図である。
【０１４９】
画像形成装置１００は、制御部１３０（図１６参照）を備えている。制御部１３０は、シート供給装置２００を作動制御する。制御部１３０は、ＣＰＵ（Ｃｅｎｔｒａｌ  Ｐｒｏｃｅｓｓｉｎｇ  Ｕｎｉｔ）等のマイクロコンピュータからなる処理部１３０ａと、ＲＯＭ（Ｒｅａｄ  Ｏｎｌｙ  Ｍｅｍｏｒｙ）等の不揮発性メモリ、ＲＡＭ（Ｒａｎｄｏｍ  Ａｃｃｅｓｓ  Ｍｅｍｏｒｙ）等の揮発性メモリを含む記憶部１３０ｂとを有している。制御部１３０は、処理部１３０ａが記憶部１３０ｂのＲＯＭに予め格納された制御プログラムを記憶部１３０ｂのＲＡＭ上にロードして実行することにより、各種構成要素の作動制御を行うようになっている。記憶部１３０ｂのＲＡＭは、それぞれ、処理部１３０ａに対して作業用のワークエリアを提供する。なお、シート供給装置２００が制御部を備え、画像形成装置１００における制御部１３０の指示命令を受けたシート供給装置２００における制御部により、シート供給装置２００が作動制御されるようになっていてもよい。
【０１５０】
画像形成装置本体１１０は、制御部１３０に電気的に接続されており、操作部（図示省略）からの操作信号を送信するようになっている。これにより、制御部１３０は、シートトレイ２１１，２１２のうち何れのシートトレイが記録シートＰの供給対象かを認識することができる。
【０１５１】
第３実施形態に係るシート供給装置２００は、シートトレイ２１１，２１２のうち何れのシートトレイが記録シートＰの供給対象かを報知するための表示部２０１，２０２を備えている。
【０１５２】
表示部２０１，２０２は、制御部１３０に電気的に接続されており、制御部１３０から、シートトレイ２１１，２１２のうち何れのシートトレイが記録シートＰの供給対象のかを示す表示信号を受信するようになっている。
【０１５３】
表示部２０１，２０２は、この例では、発光素子２０１ａ，２０２ａ（具体的には発光ダイオード）（図１７参照）を備えている。表示部２０１，２０２は、シート供給装置２００における筐体２３０（図１７参照）の前面の第１方向Ｘにおいてシートトレイ２１１，２１２に対応して（この例では両端部に）設けられている。前パネル２４０（図１７参照）の表示部２０１，２０２に対応する部分（この例ではパネル板２４３）には、表示部２０１，２０２からの光を透過させる透光性部材２４０ｅ，２４０ｆが設けられている。なお、表示部２０１，２０２は、前パネル２４０に設けられ、表示部２０１，２０２の前面から直接表示するようにしてもよい。
【０１５４】
この例では、制御部１３０は、表示部２０１，２０２のうち記録シートＰの供給対象のシートトレイ（２１１又は２１２）に対応する位置に設けられた表示部（２０１又は２０２）を作動（具体的には発光素子を点灯）させる。すなわち、制御部１３０は、第１のシートトレイ２１１が記録シートＰの供給対象である場合には、シートトレイ２１１に対応する位置に設けられた表示部２０１を作動（具体的には発光素子２０１ａを点灯）させる。一方、制御部１３０は、第２のシートトレイ２１２が記録シートＰの供給対象である場合には、シートトレイ２１２に対応する位置に設けられた表示部２０２を作動（具体的には発光素子２０２ａを点灯）させる。
【０１５５】
（第４実施形態）
第４実施形態は、第１実施形態から第３実施形態の何れか１つの構成に適用することができる。
【０１５６】
第４実施形態において、第１実施形態から第３実施形態と実質的に同様の構成要素には同一符号を付し、その説明を省略する。
【０１５７】
図１８は、画像形成装置１００における制御部１３０の第４実施形態に係るシステムブロック図である。図１９は、図２及び図４から図１２に示す連結機構２６０をロックするロック機構２９１，２９２が設けられた前パネル２４０を背面側の左斜め上方から視た斜視図である。図２０は、図１３から図１５に示す連結機構２８０をロックするロック機構２９３，２９４が設けられた前パネル２４０及びシートトレイ２１１，２１２を正面側の右斜め上方から視た斜視図である。
【０１５８】
第４実施形態に係るシート供給装置２００は、第１実施形態から第３実施形態に係る構成において、シートトレイ２１１，２１２のうち記録シートＰの供給対象のシートトレイに単一の把持部２５０，２７０を連結させないように連結機構２６０，２８０をロックするロック機構（２９１，２９２），（２９３，２９４）をさらに備えている。
【０１５９】
＜図１９に示す連結機構に対するロック機構＞
図１９に示す連結機構２６０をロックするロック機構２９１，２９２は、シートトレイ２１１，２１２のうち記録シートＰの供給対象のシートトレイ（例えば２１２）に対応する第１係合部材（例えば２６２）と第２係合部材２６３とを係合させないように第２係合部材２６３をロックする。
【０１６０】
ロック機構２９１，２９２は、第２係合部材２６３をロックするロック作動部２９１ａ，２９２ａ（図１９参照）と、ロック作動部２９１ａ，２９２ａを作動させるロック駆動部２９１ｂ，２９２ｂ（具体的には電磁ソレノイド）（図１８及び図１９参照）とを備えている。ロック機構２９１，２９２は、第２係合部材２６３の第１方向Ｘの一方側Ｘ１端部近傍及び他方側Ｘ２端部近傍に設けられている。
【０１６１】
ロック作動部２９１ａ，２９２ａは、第２係合部材２６３の第１端面２６３ｃ及び第２端面２６３ｄに当接するロックレバー部２９１ａ１，２９２ａ１（図１９参照）と、ロックレバー部２９１ａ１，２９２ａ１を付勢する付勢部材２９１ａ２，２９２ａ２（具体的には直巻スプリング）（図１９参照）と有している。
【０１６２】
ロックレバー部２９１ａ１，２９２ａ１は、第２方向Ｙに沿った軸線回りに回動するようになっている。ロックレバー部２９１ａ１，２９２ａ１は、第２方向Ｙに沿って前パネル２４０の内側の第１側面２４０ａ（図１９参照）に設けられた回動軸２４０ｇ，２４０ｈ（図１９参照）に回動自在に支持されている。回動軸２４０ｇ，２４０ｈは、前パネル２４０と一体的に形成されている。
【０１６３】
ロックレバー部２９１ａ１，２９２ａ１は、一端部が第２係合部材２６３の第１端面２６３ｃ及び第２端面２６３ｄに当接する規制部とされる一方、他端部がロック駆動部２９１ｂ，２９２ｂに接続（具体的には電磁ソレノイドのプランジャーの先端部に第２方向Ｙに沿った軸線回りに回動自在に接続）されている。
【０１６４】
ロックレバー部２９１ａ１，２９２ａ１は、第２係合部材２６３の初期位置から第１係合位置（第１方向Ｘの一方側Ｘ１）又は第２係合位置（第１方向Ｘの他方側Ｘ２）への移動を規制するロック姿勢（図１９の例ではロックレバー部２９２ａ１の姿勢参照）と、第２係合部材２６３の初期位置から第１係合位置又は第２係合位置への移動の規制を解除するロック解除姿勢（図１９の例ではロックレバー部２９１ａ１の姿勢参照）との間で第２方向Ｙに沿った軸線回りに回動するようになっている。ロックレバー部２９１ａ１，２９２ａ１は、回動軸２４０ｇ，２４０ｈを基点にして軸線回りの回動方向に所定の角度で屈曲している。
【０１６５】
付勢部材２９１ａ２，２９２ａ２は、ロックレバー部２９１ａ１，２９２ａ１がロック解除姿勢になるようにロックレバー部２９１ａ１，２９２ａ１を付勢し（具体的には電磁ソレノイドのプランジャーを突出させ）ている。
【０１６６】
ロック駆動部２９１ｂ，２９２ｂは、前パネル２４０の内側の第１側面２４０ａに設けられている。ロック駆動部２９１ｂ，２９２ｂは、制御部１３０に電気的に接続されている（図１８参照）。ロック機構２９１，２９２は、制御部１３０の指示の下、作動命令が入力されると（具体的にはロック駆動部２９１ｂ，２９２ｂに電力が供給されると）、付勢部材２９１ａ２，２９２ａ２の付勢力に抗してロックレバー部２９１ａ１，２９２ａ１をロック姿勢にする。一方、ロック機構２９１，２９２は、制御部１３０の指示の下、非作動命令が入力されると（具体的にはロック駆動部２９１ｂ，２９２ｂへの電力供給が遮断されると）、付勢部材２９１ａ２，２９２ａ２の付勢力によりロックレバー部２９１ａ１，２９２ａ１をロック解除姿勢にする。
【０１６７】
制御部１３０は、ロック駆動部２９１ｂ，２９２ｂのうち記録シートＰの供給対象のシートトレイ（例えば２１２）に対応するロック駆動部（例えば２９２ｂ）に対して作動命令を入力する（具体的には電力を供給する）。一方、制御部１３０は、ロック駆動部２９１ｂ，２９２ｂのうち記録シートＰの供給対象以外のシートトレイ（例えば２１１）に対応するロック駆動部（例えば２９１ｂ）に対して非作動命令を入力する（具体的には電力供給を遮断する）。
【０１６８】
＜図２０に示す連結機構に対するロック機構＞
図２０に示す連結機構２８０をロックするロック機構２９３，２９４は、シートトレイ２１１，２１２のうち記録シートＰの供給対象のシートトレイ（例えば２１１）に対応する第１係合部材（例えば２６１）と第２係合部材（例えば２８３１）とを係合させないように第２係合部材（例えば２８３１）をロックする。
【０１６９】
ロック機構２９３，２９４は、第２係合部材２８３１，２８３２（図２０参照）をロックするロック作動部２９３ａ，２９４ａ（図２０参照）と、ロック作動部２９３ａ，２９４ａを作動させるロック駆動部２９３ｂ，２９４ｂ（具体的には電磁ソレノイド）（図１８及び２０参照）とを備えている。ロック機構２９３，２９４は、第２係合部材２８３１，２８３２の近傍に設けられている。
【０１７０】
ロック作動部２９３ａ，２９４ａは、第２係合部材２８３１，２８３２と前パネル２４０との間に位置するように揺動するロックレバー部２９３ａ１，２９４ａ１（図２０参照）と、ロックレバー部２９３ａ１，２９４ａ１を付勢する付勢部材２９３ａ２，２９４ａ２（具体的には直巻スプリング）（図２０参照）と有している。
【０１７１】
ロックレバー部２９３ａ１，２９４ａ１は、第２方向Ｙに沿った軸線回りに回動するようになっている。ロックレバー部２９３ａ１，２９４ａ１は、第２方向Ｙに沿って前パネル２４０の内側の第１側面２４０ａ（図２０参照）に設けられた回動軸２４０ｉ，２４０ｊ（図２０参照）に回動自在に支持されている。回動軸２４０ｉ，２４０ｊは、前パネル２４０と一体的に形成されている。
【０１７２】
ロックレバー部２９３ａ１，２９４ａ１は、一端部が第２係合部材２８３１，８３２と前パネル２４０との間に位置する規制部とされる一方、他端部がロック駆動部２９３ｂ，２９４ｂに接続（具体的には電磁ソレノイドのプランジャーの先端部に第２方向Ｙに沿った軸線回りに回動自在に接続）されている。
【０１７３】
ロックレバー部２９３ａ１，２９４ａ１は、第２係合部材２８３１，２８３２の係合解除姿勢から係合姿勢（前パネル２４０側）への回動を規制するロック姿勢（図２０の例ではロックレバー部２９３ａ１の姿勢参照）と、第２係合部材２８３１，２８３２の係合解除姿勢から係合姿勢（前パネル２４０側）への回動の規制を解除するロック解除姿勢（図２０の例ではロックレバー部２９４ａ１の姿勢参照）との間で第２方向Ｙに沿った軸線回りに回動するようになっている。ロックレバー部２９３ａ１，２９４ａ１は、回動軸２４０ｉ，２４０ｊを基点にして軸線回りの回動方向に所定の角度で屈曲している。
【０１７４】
付勢部材２９３ａ２，２９４ａ２は、ロックレバー部２９３ａ１，２９４ａ１がロック解除姿勢になるようにロックレバー部２９３ａ１，２９４ａ１を付勢し（具体的には電磁ソレノイドのプランジャーを突出させ）ている。
【０１７５】
ロック駆動部２９３ｂ，２９４ｂは、前パネル２４０の内側の第１側面２４０ａに設けられている。ロック駆動部２９３ｂ，２９４ｂは、制御部１３０に電気的に接続されている（図１８参照）。ロック機構２９３，２９４は、制御部１３０の指示の下、作動命令が入力されると（具体的にはロック駆動部２９３ｂ，２９４ｂに電力が供給されると）、付勢部材２９３ａ２，２９４ａ２の付勢力に抗してロックレバー部２９３ａ１，２９４ａ１をロック姿勢にする。一方、ロック機構２９３，２９４は、制御部１３０の指示の下、非作動命令が入力されると（具体的にはロック駆動部２９３ｂ，２９４ｂへの電力供給が遮断されると）、付勢部材２９３ａ２，２９４ａ２の付勢力によりロックレバー部２９３ａ１，２９４ａ１をロック解除姿勢にする。
【０１７６】
制御部１３０は、ロック駆動部２９３ｂ，２９４ｂのうち記録シートＰの供給対象のシートトレイ（例えば２１１）に対応するロック駆動部（例えば２９３ｂ）に対して作動命令を入力する（具体的には電力を供給する）。一方、制御部１３０は、ロック駆動部２９３ｂ，２９４ｂのうち記録シートＰの供給対象以外のシートトレイ（例えば２１２）に対応するロック駆動部（例えば２９４ｂ）に対して非作動命令を入力する（具体的には電力供給を遮断する）。
【０１７７】
＜シートトレイに対するロック機構＞
図２１は、シートトレイをロックするロック機構２９５，２９６及びシートトレイ２１１，２１２を正面側の右斜め上方から視た斜視図である。
【０１７８】
第４実施形態に係るシート供給装置２００は、第１実施形態から第３実施形態に係る構成において、図１９に示すロック機構（２９１，２９２）及び図２０に示すロック機構（２９３，２９４）に代えて或いは加えて、シートトレイ２１１，２１２のうち記録シートＰの供給対象のシートトレイをロックするロック機構２９５，２９６をさらに備えている。
【０１７９】
図２１に示すロック機構２９５，２９６は、シートトレイ２１１，２１２のうち記録シートＰの供給対象のシートトレイ（例えば２１１）が引き出されないように該シートトレイ（例えば２１１）をロックする。ロック機構２９５，２９６は、シートトレイ２１１，２１２をロックするロック作動部２９５ａ，２９６ａ（図２１参照）と、ロック作動部２９５ａ，２９６ａを作動させるロック駆動部２９５ｂ，２９６ｂ（具体的には電磁ソレノイド）（図１８及び図２１参照）とを備えている。ロック機構２９５，２９６は、シートトレイ２１１，２１２の下方近傍に設けられている。
【０１８０】
ロック作動部２９５ａ，２９６ａは、第１方向Ｘに沿った回動軸２９５ａ１，２９６ａ１（図２１参照）と、回動軸２９５ａ１，２９６ａ１に設けられてシートトレイ２１１，２１２の前面に当接するロックレバー部２９５ａ２，２９６ａ２（図２１参照）と、回動軸２９５ａ１，２９６ａ１に設けられてロック駆動部２９５ｂ，２９６ｂに接続される接続部２９５ａ３，２９６ａ３（図２１参照）と、ロックレバー部２９５ａ２，２９６ａ２、回動軸２９５ａ１，２９６ａ１及び接続部２９５ａ３，２９６ａ３を付勢する付勢部材２９５ａ４，２９６ａ４（具体的には直巻スプリング）（図２１参照）と有している。
【０１８１】
ロックレバー部２９５ａ２，２９６ａ２及び接続部２９５ａ３，２９６ａ３は、回動軸２９５ａ１，２９６ａ１に対して所定角度ずれた位置に設けられている。ロックレバー部２９５ａ２，２９６ａ２及び接続部２９５ａ３，２９６ａ３は、回動軸２９５ａ１，２９６ａ１と一体的に形成されている。
【０１８２】
回動軸２９５ａ１，２９６ａ１は、筐体２３０の筐体下板２３０ｂ（図２１では図示省略、図５参照）に設けられた軸受２３０ｇ，２３０ｈに回動自在に支持されている。軸受２３０ｇ，２３０ｈは、筐体下板２３０ｂと一体的に形成されている。
【０１８３】
ロックレバー部２９５ａ２，２９６ａ２は、シートトレイ２１１，２１２の前面に当接する規制部とされている。接続部２９５ａ３，２９６ａ３は、ロック駆動部２９５ｂ，２９６ｂに接続（具体的には電磁ソレノイドのプランジャーの先端部に第１方向Ｘに沿った軸線回りに回動自在に接続）されている。
【０１８４】
ロックレバー部２９５ａ２，２９６ａ２は、シートトレイ２１１，２１２の格納状態から引出方向Ｙ１への移動を規制するロック姿勢（図２１の例ではロックレバー部２９５ａ２の姿勢参照）と、シートトレイ２１１，２１２の格納状態から引出方向Ｙ１への移動の規制を解除するロック解除姿勢（図２１の例ではロックレバー部２９６ａ２の姿勢参照）との間で第１方向Ｘに沿った軸線回りに回動するようになっている。
【０１８５】
付勢部材２９５ａ４，２９６ａ４は、ロックレバー部２９５ａ２，２９６ａ２がロック解除姿勢になるようにロックレバー部２９５ａ２，２９６ａ２を付勢し（具体的には電磁ソレノイドのプランジャーを突出させ）ている。
【０１８６】
ロック駆動部２９５ｂ，２９６ｂは、筐体２３０の筐体下板２３０ｂ（図２１では図示省略、図５参照）に設けられている。ロック駆動部２９５ｂ，２９６ｂは、制御部１３０に電気的に接続されている（図１８参照）。ロック機構２９５，２９６は、制御部１３０の指示の下、作動命令が入力されると（具体的にはロック駆動部２９５ｂ，２９６ｂに電力が供給されると）、付勢部材２９５ａ４，２９６ａ４の付勢力に抗してロックレバー部２９５ａ２，２９６ａ２をロック姿勢にする。一方、ロック機構２９５，２９６は、制御部１３０の指示の下、非作動命令が入力されると（具体的にはロック駆動部２９５ｂ，２９６ｂへの電力供給が遮断されると）、付勢部材２９５ａ４，２９６ａ４の付勢力によりロックレバー部２９５ａ２，２９６ａ２をロック解除姿勢にする。
【０１８７】
制御部１３０は、ロック駆動部２９５ｂ，２９６ｂのうち記録シートＰの供給対象のシートトレイ（例えば２１１）に対応するロック駆動部（例えば２９５ｂ）に対して作動命令を入力する（具体的には電力を供給する）。一方、制御部１３０は、ロック駆動部２９５ｂ，２９６ｂのうち記録シートＰの供給対象以外のシートトレイ（例えば２１２）に対応するロック駆動部（例えば２９６ｂ）に対して非作動命令を入力する（具体的には電力供給を遮断する）。
【０１８８】
（本実施の形態について）
本実施の形態（第１実施形態から第４実施形態）によれば、複数（この例では２つ）のシートトレイ２１１，２１２は、第１方向Ｘに並設されて第１方向Ｘの一方側Ｘ１及び／又は他方側Ｘ２（この例では一方側Ｘ１）に供給される記録シートＰをそれぞれ収容するので、複数のシートトレイ２１１，２１２の何れか１つのシートトレイから記録シートＰを第１方向Ｘの一方側Ｘ１及び／又は他方側Ｘ２（この例では一方側Ｘ１）に供給することができる。また、複数のシートトレイ２１１，２１２は、第２方向Ｙの引出方向Ｙ１及び格納方向Ｙ２に互いに独立して往復移動自在とされ、連結機構２６０，２８０は、複数のシートトレイ２１１，２１２において個々のシートトレイに対して単一の把持部２５０，２７０を選択的に連結するので、複数のシートトレイ２１１，２１２のうち、連結機構２６０，２８０への選択操作により単一の把持部１５０に連結したシートトレイに対して、引出方向Ｙ１への引出操作が行われ得る。これにより、記録シートＰの供給方向（第１方向Ｘ）に並設された複数のシートトレイ２１１，２１２において、個々のシートトレイ２１１，２１２に対して単独で引出操作を行うことができると共に、何れか１つのシートトレイが記録シート供給動作中でもそれ以外のシートトレイに記録シートＰを補給することができる。
【０１８９】
また、本実施の形態において、シート供給装置２００は、連結機構２６０，２８０への選択操作を単一の把持部２５０，２７０で行う構成とされていることで、単一の把持部２５０，２７０を把持する際に連結機構２６０，２８０への選択操作を行うことができ、それだけ操作性を向上させることができる。
【０１９０】
また、本実施の形態において、連結機構２６０，２８０は、複数のシートトレイ２１１，２１２にそれぞれ対応して設けられた複数の第１係合部材２６１，２６２と、単一の把持部２５０，２７０に接続されて複数の第１係合部材２６１，２６２に対して選択的に係合する構成とされた第２係合部材２６３，（２８３１，２８３２）とを有し、第２係合部材２６３，（２８３１，２８３２）を複数の第１係合部材２６１，２６２に対して選択的に係合させる構成とされていることで、複数のシートトレイ２１１，２１２のうち、第２係合部材２６３，（２８３１，２８３２）への選択操作により第２係合部材２６３，（２８３１，２８３２）と係合した第１係合部材に対応するシートトレイに対して、引出方向Ｙ１への引出操作が行われ得る。これにより、簡単な構成で、複数のシートトレイ２１１，２１２において単一の把持部２５０，２７０を個々のシートトレイ２１１，２１２に対して選択的に連結させることができる。
【０１９１】
また、第１実施形態を含む実施の形態では、第２係合部材２６３は、複数のシートトレイ２１１，２１２における第１係合部材２６１，２６２にそれぞれ対応して個別に係合するように第１方向Ｘに往復移動自在な構成とされていることで、複数のシートトレイ２１１，２１２のうち、単一の把持部２５０に接続された第２係合部材２６３を単一の把持部２５０により第１方向Ｘに往復移動させる選択操作により第２係合部材２６３と係合したシートトレイに対して、引出操作が行われ得る。これにより、個々のシートトレイ２１１，２１２に対して簡単かつ容易に引出操作を行うことが可能となる。
【０１９２】
ところで、第１実施形態を含む実施の形態において、第２係合部材２６３が第１係合部材２６１，２６２にそれぞれ対応して個別に係合する適正な個別係合位置に移動していないと、第２係合部材２６３を第１係合部材２６１，２６２に対して確実に係合させることができない場合がある。
【０１９３】
この点、第１実施形態を含む実施の形態では、シート収容部２１０は、第２係合部材２６３に設けられたガイド部材２６５（２６５ａ），２６５（２６５ｂ）と、複数のシートトレイ２１１，２１２にそれぞれ対応して設けられてガイド部材２６５（２６５ａ），２６５（２６５ｂ）に当接する当接部材（この例では第１係合部材２６１，２６２）とをさらに備え、ガイド部材２６５（２６５ａ），２６５（２６５ｂ）は、当接部材（この例では第１係合部材２６１，２６２）に当接して第２係合部材２６３が第１係合部材２６１，２６２にそれぞれ対応して個別に係合する適正な個別係合位置に移動するように第２係合部材２６３を案内することで、第２係合部材２６３を適正な個別係合位置（この例では第１係合位置又は第２係合位置）に確実に移動させることができ、従って、第２係合部材２６３を第１係合部材２６１，２６２に対して確実に係合させることができる。
【０１９４】
また、第１実施形態を含む実施の形態では、当接部材は、第１係合部材２６１，２６２と兼用することで、当接部材として別途専用の部材を設ける必要がなく、これにより装置構成を簡素化させることができる。
【０１９５】
また、第２実施形態を含む実施の形態では、第２係合部材２８３１，２８３２は、複数のシートトレイ２１１，２１２における第１係合部材２６１，２６２にそれぞれ対応して個別に係合するように第１方向Ｘに平行又は略平行な回動軸線回りに回動自在な構成とされていることで、複数のシートトレイ２１１，２１２のうち、単一の把持部２７０（具体的には単一の把持部２７０における把手部材２７１，２７２）に接続された第２係合部材２８３１，２８３２を単一の把持部２７０（具体的には単一の把持部２７０における把手部材２７１，２７２）により回動軸線回りに回動させる選択操作により第２係合部材と係合したシートトレイに対して、引出操作が行われ得る。これにより、個々のシートトレイ２１１，２１２に対して簡単かつ容易に引出操作を行うことが可能となる。
【０１９６】
ところで、本実施の形態において、記録シート供給動作中以外のとき（例えば待機中や電源オフ時）に、複数のシートトレイ２１１，２１２の全てに対して記録シートＰを補給する場合があるが、この場合、個々のシートトレイ２１１，２１２に対して記録シートＰを補給すると、個々のシートトレイ２１１，２１２に対して引出操作を行う必要があり、それだけ引出操作に手間がかかる。
【０１９７】
この点、本実施の形態では、第２係合部材２６３，（２８３１，２８３２）は、さらに、複数のシートトレイ２１１，２１２における第１係合部材２６１，２６２の全てに係合する構成とされていることで、複数のシートトレイ２１１，２１２のうち、第２係合部材２６３，（２８３１，２８３２）への選択操作により（具体的には、図２から図１２に示す例では第２係合部材２６３を初期位置に位置させることにより、図１３から図１５に示す例では第２係合部材２８３１，２８３２の双方を回動軸線回りの前パネル２４０側へ回動させることにより）第２係合部材２６３，（２８３１，２８３２）と係合した複数のシートトレイ２１１，２１２の全てに対して、引出操作が行われ得る。これにより、記録シート供給動作中以外のとき（例えば待機中や電源オフ時）に、複数のシートトレイ２１１，２１２の全てに対して１回の引出操作で記録シートＰを補給することができ、個々のシートトレイ２１１，２１２に対して引出操作を行う必要がなく、これにより引出操作を簡素化させることができる。
【０１９８】
ところで、本実施の形態において、使用者等の操作者は、複数のシートトレイ２１１，２１２のうち、何れのシートトレイが記録シート供給動作中であるのかが認識できないと、何れのシートトレイに対して引出操作を行えばよいかがわからない。
【０１９９】
この点、本実施の形態では、シート供給装置２００は、複数のシートトレイ２１１，２１２のうち何れのシートトレイが記録シートＰの供給対象かを報知するための表示部２０１，２０２を備えていることで、複数のシートトレイ２１１，２１２のうち、何れのシートトレイに対して引出操作を行えばよいかを操作者に理解させることができる。
【０２００】
ところで、本実施の形態において、使用者等の操作者は、複数のシートトレイ２１１，２１２のうち、何れのシートトレイが記録シート供給動作中であるのかが認識できないと、記録シート供給動作中のシートトレイに対して誤って引出操作してしまう恐れがある。
【０２０１】
この点、第４実施形態を含む実施の形態では、シート供給装置２００は、複数のシートトレイ２１１，２１２のうち記録シートＰの供給対象のシートトレイに単一の把持部２５０，２７０を連結させないように連結機構２６０，２８０をロックするロック機構（２９１，２９２），（２９３，２９４）、及び／又は、複数のシートトレイ２１１，２１２のうち記録シートＰの供給対象のシートトレイをロックするロック機構２９５，２９６をさらに備えていることで、複数のシートトレイ２１１，２１２のうち、操作者による記録シート供給動作中のシートトレイに対する誤った引出操作を効果的に防止することができる。
【０２０２】
また、本実施の形態では、複数のシートトレイ２１１，２１２は、記録シートＰの載置位置を規定する少なくとも１つの側板（この例では右側板２１１ａ，２１２ａ、左側板２１１ｂ，２１２ｂ、前側板２１１ｃ，２１２ｃ及び後側板２１１ｄ，２１２ｄ）を有し、側板のうち少なくとも１つ（この例では右側板２１１ａ，２１２ａ、左側板２１１ｂ，２１２ｂ、前側板２１１ｃ，２１２ｃ）は、頂面から底面に向けて窪んだ窪み部Ｈａを有していることで、記録シートＰを補給する際の記録シート補給作業性を向上させることができる。
【０２０３】
（その他の実施の形態）
本実施の形態に係るシート供給装置２００において、連結機構２６０，２８０がシートトレイ２１１，２１２（具体的には第１係合部材２６１，２６２）と単一の把持部２５０，２７０（具体的には第２係合部材２６３，（２８３１，２８３２））とを確実に固定して連結することができれば、スライド部材２３３（図２から図５参照）を除去するようにしてもよい。
【０２０４】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０２０５】
１００      画像形成装置
１１０      画像形成装置本体
１３０      制御部
１３０ａ    処理部
１３０ｂ    記憶部
２００      シート供給装置
２０１      表示部
２０１ａ    発光素子
２０２      表示部
２０２ａ    発光素子
２１０      シート収容部
２１１      シートトレイ
２１２      シートトレイ
２２０      シート供給部
２３０      筐体
２３０ｇ    軸受
２３１      支柱部材
２３２      スライド部材
２３３      スライド部材
２４０      前パネル
２４０ａ    第１側面
２４０ｂ    第２側面
２４０ｃ    第３側面
２４０ｄ    開口
２４０ｅ    透光性部材
２４１      貫通孔
２４２      摺動部材
２４３      パネル板
２４４      第１側面板
２４５      第２側面板
２５０      単一の把持部
２６０      連結機構
２６１      第１係合部材
２６２      第１係合部材
２６３      第２係合部材
２６４      付勢部材
２６５      ガイド部材
２７０      把持部
２７１      把手部材
２７２      把手部材
２８０      連結機構
２８３１    第２係合部材
２８３２    第２係合部材
２９１      ロック機構
２９２      ロック機構
２９３      ロック機構
２９４      ロック機構
２９５      ロック機構
２９６      ロック機構
Ｈａ        窪み部
Ｐ          記録シート
Ｓ          シート搬送経路
Ｓ１        第１供給路
Ｓ２        第２供給路
Ｘ          第１方向
Ｘ１        一方側
Ｘ２        他方側
Ｙ          第２方向
Ｙ１        引出方向
Ｙ２        格納方向
Ｚ          上下方向
α          把持部分
αβ        双方の把持部分
β          把持部分
【図１】
0006489692.tif 000002
【図２】
0006489692.tif 000003
【図３】
0006489692.tif 000004
【図４】
0006489692.tif 000005
【図５】
0006489692.tif 000006
【図６】
0006489692.tif 000007
【図７】
0006489692.tif 000008
【図８】
0006489692.tif 000009
【図９】
0006489692.tif 000010
【図１０】
0006489692.tif 000011
【図１１】
0006489692.tif 000012
【図１２】
0006489692.tif 000013
【図１３】
0006489692.tif 000014
【図１４】
0006489692.tif 000015
【図１５】
0006489692.tif 000016
【図１６】
0006489692.tif 000017
【図１７】
0006489692.tif 000018
【図１８】
0006489692.tif 000019
【図１９】
0006489692.tif 000020
【図２０】
0006489692.tif 000021
【図２１】
0006489692.tif 000022